(57)【要約】【課題】  延伸ブロー成形により肩カバーと内容器を一体成形し、該内容器と外容器との二つのパーツで構成できるようにした複合容器を提供すること。【解決手段】  外容器と、肩カバーが一体形成された内容器とからなる複合容器であって、外容器は、上端に取付筒を設けた胴周壁を具備しており、内容器は、口筒部と、口筒部に連設された肩カバーとを具備しており、肩カバーは、口筒部下端に突設されたフランジと、該フランジの周縁から垂設された係合筒とから構成されていることを特徴とする。【選択図】  図１
2006182442.tif 000002
【特許請求の範囲】
【請求項１】
外容器と、肩カバーが一体形成された内容器とからなる複合容器であって、
外容器は、上端に取付筒を設けた胴周壁を具備しており、
内容器は、口筒部と、口筒部に連設された肩カバーとを具備しており、
肩カバーは、口筒部下端に突設されたフランジと、該フランジの周縁から垂設された係合筒とから構成されていることを特徴とする複合容器。
【請求項２】
内容器が、口筒部とともに、肩部を具備しており、
口筒部には、しごき中栓が挿入され、肩部下面にしごき中栓の係止部が係止されるようにしたことを特徴とする請求項１記載の複合容器。
【請求項３】
内容器が、薄肉の胴部と、底部を具備していることを特徴とする請求項１記載の複合容器。
【発明の詳細な説明】
【技術分野】
【０００１】
本発明は、外容器と内容器とからなる複合容器、とくに内容器に肩カバーが一体成形された複合容器に関するものである。
【背景技術】
【０００２】
内容物を収納する内容器を外容器内に収納し、外容器に肩カバーを被嵌した複合容器は、従来より知られている（例えば、特許文献１参照）。
【０００３】
上記特許文献１記載の容器は、容器本体（２）と、該容器本体（２）内部に着脱自在に収納されるリフィール容器（３）、該容器本体（２）の開口部（２ａ）に装着され、リフィール容器（３）の容器本体（２）内から抜出を阻止するプロテクター（１）との三つのパーツから構成されている。
【特許文献１】特開平７−３０３５１７号公報
【発明の開示】
【発明が解決しようとする課題】
【０００４】
しかしながら、上記従来の容器は、外容器（容器本体）と内容器（リフィール容器）、および肩カバー（プロテクター）との三つのパーツで構成されているため、金型数、成形、組立ての面で生産コストが高くなるという問題があった。
【０００５】
本発明は、上記問題を解決することを課題とし、延伸ブロー成形により肩カバーと内容器を一体成形し、該内容器と外容器との二つのパーツで構成できるようにした複合容器を提供することを目的とする。
【課題を解決するための手段】
【０００６】
本発明は、上記の課題を解決するため、複合容器として、外容器と、肩カバーが一体形成された内容器とからなる複合容器であって、外容器は、上端に取付筒を設けた胴周壁を具備しており、内容器は、口筒部と、口筒部に連設された肩カバーとを具備しており、肩カバーは、口筒部下端に突設されたフランジと、該フランジの周縁から垂設された係合筒とから構成されていることを特徴とする構成を採用する。   
【０００７】
複合容器の別実施例として、内容器が、口筒部とともに、肩部を具備しており、口筒部には、しごき中栓が挿入され、肩部下面にしごき中栓の係止部が係止されるようにしたことを特徴とする構成を採用し、また、内容器が、薄肉の胴部と、底部を具備していることを特徴とする構成を採用する。
【発明の効果】
【０００８】
内容器の口筒部に肩カバーを連設し、肩カバーの係合筒を外容器の取付筒に取着するようにしたから、内容器の肩部を保護することができるようになった。
そのことによって、肩カバーと内容器を一体成形することができ、三つのパーツを二つのパーツに減らすことによって、生産コストを低減することができた。
【発明を実施するための最良の形態】
【０００９】
次に、本発明の複合容器の実施形態について、実施例をあげて説明する。
【実施例１】
【００１０】
図１において、Ａは外容器、Ｂは内容器、Ｃはキャップであり、合成樹脂を素材として成形されている。
【００１１】
外容器Ａは、射出成形により成形されており、胴周壁１と底部２とからなっている。
胴周壁１の上方には、外周に段部３が設けられ、縮径された取付筒４が形成されており、取付筒４の外周には、係合突条５が設けられている。
【００１２】
内容器Ｂは、延伸ブロー成形により成形されており、口筒部１０と、口筒部１０に連設された肩カバー１１、肩部１２と胴部１３および底部１４とから構成されている。
口筒部１０の外周には、キャップＣを螺着するねじ１５が設けられている。
【００１３】
肩カバー１１は、口筒部１０下端から連設されるフランジ１６と、フランジ１６外周縁から垂設され、内周が外容器Ａの取付筒４外周に係合する係合筒１７とからなっており、係合筒１７の内周には、取付筒４の係合突条５と係合する係合凹部１８が、設けられている。
【００１４】
キャップＣは、頂壁２０と、頂壁２０の周縁から垂設され、内容器Ｂの口筒部１０のねじ１５と螺合するねじ２１が設けられた側周壁２２とからなり、内容器Ｂの口筒部１０に螺着するようになっている。
【００１５】
次に、本実施例の複合容器の使用態様と作用効果について説明する。
複合容器の組立てにあたっては、内容物を充填し、閉蓋した内容器Ｂを、外容器Ａ内に挿入し、外容器Ａの取付筒４に内容器Ｂの肩カバー１１の係合筒１７を取着する。
その際、外容器Ａの取付筒４の係合突条５と、内容器Ｂの肩カバー１１の係合凹部１８が係合して、外容器Ａと内容器Ｂとが結合される。
【００１６】
内容物を使用する際には、キャップＣを開蓋して、外容器Ａを持って傾けることによって内容物を注出することができる。
注出を終わって、容器をしまうときには、キャップＣを閉蓋しておく。
【００１７】
キャップＣの開閉にあたって、肩カバー１１の係合筒１７が、外容器Ａの取付筒４に接合しているので、肩カバー１１を外容器Ａに押圧してキャップＣを廻動させることができ、開閉が容易にできるようになった。
【００１８】
内容器Ｂ内の内容物を使い切った際には、外容器Ａの取付筒４と内容器Ｂの肩カバー１１との係合を外して内容器Ｂを取り外し、内容物を充填した新しい内容器Ｂを外容器Ａに取着することにより、内容器Ｂを詰め替え容器として詰め替えて使用することができる。
【００１９】
また、内容器Ｂの胴部１３が薄肉の場合には、始めに、内容器Ｂを外容器Ａに装着し、内容物を充填した後にキャップＣを閉蓋する。
キャッピングにあたっては、治具で肩カバー１１を外容器Ａに押圧把持することによって、高いトルクをかけることができるので、薄肉容器であってもキャッピングが容易にできる。
【００２０】
また、内容器Ｂの口筒部１０に、ポンプディスペンサーを装着し、ディスペンサー容器としても使用することもでき、内容器Ｂ胴部１３を可撓性を持つ薄肉にしたときには、内容物の減少に伴い内容器Ｂの胴部１３だけを縮小させ、容器内の内容物を最後まで注出することができるようになる。
【００２１】
本実施例の複合容器は、外容器内に内容器を装着できればよいので、容器自体の形状は、円形のほか、楕円形や、角形などの容器としても成形できる。
容器の形状、容器としての使用態様は、上記実施例に示したものに限定されない。
【実施例２】
【００２２】
次に、前記実施例の容器を、例えばマスカラ容器などに使用するために、内容器の口筒部にしごき中栓を取着した実施例について説明する。
図２において、Ａａは外容器、Ｂａは内容器、Ｄはしごき中栓であり、外容器Ａａと内容器Ｂａは、合成樹脂を素材として成形され、しごき中栓Ｄは、エラストマー等の軟材質を素材として成形されている。
内容物を付着させるブラシを備えたキャップが、内容器Ｂａの口筒部１０ａに取着される（図示しない）。       
【００２３】
外容器Ａａの構成は、実施例１と同様であるので、詳しい説明は省略する。
内容器Ｂａは、延伸ブロー成形により成形されており、口筒部１０ａと肩カバー１１ａ、肩部１２ａと胴部１３ａおよび底部１４ａとから構成されている。
口筒部１０ａの外周には、ブラシを備えたキャップを螺着するねじ１５ａが設けられている。
【００２４】
肩カバー１１ａは、口筒部１０ａ下端から連設されるフランジ１６ａと、フランジ１６ａ外周縁から垂設され、内周が外容器Ａａの取付筒４ａ外周に係合する係止凹部１８ａを設けた係合筒１７ａとからなっている。
【００２５】
しごき中栓Ｄは、内容器Ｂａの口筒部１０ａの上端と係合するフランジ３０と、口筒部１０ａの内周に係合する筒体３１とを具えている。
筒体３１は、その中間部から内方に突出したワイパー部３２が設けられており、筒体３１の外周下方には、内容器Ｂａの肩部１２ａの下面に係合し、しごき中栓Ｄの上昇を阻止する係止部３３が突設されている。
【００２６】
次に、上記構成による作用効果について説明する。
内容物の使用形態は、従来のマスカラ容器の使用態様と同様であり、キャップに備えたブラシを内容器Ｂａから抜き出すとき、しごき中栓Ｄのワイパー部３２によってブラシへのマスカラの付着量が調整される。
その際、しごき中栓Ｄの係止部３３が、内容器Ｂａの肩部１２ａ下面に係合し、しごき中栓Ｄが、内容器Ｂａの口筒部１０ａより抜け出ることを阻止している。
【００２７】
上記実施例では、マスカラ容器としたが、マスカラの塗布具ばかりではなく、ブラシ等を使用する毛染剤や、薬液などの塗布具としても適用できる。
【００２８】
次に、前記各実施例の変形実施例について説明する。
前記各実施例は、内容器とキャップにねじを設けて螺着したが、キャップが内容器に取着できればよいので、係止突条と係合突条、或いは、係止突条と凹溝との係合でもよく、また、キャップと内容器の形状は、上記各実施例に限定されない。
【００２９】
また、各実施例とも、外容器の取付筒に設けた係合突条と、内容器の肩カバーの係合筒に設けた係合凹部とが係合することで、外容器と内容器を着脱可能として結合し、内容器を詰め替えができる詰め替え用容器としたが、使い切り容器として使用する場合は、外容器の取付筒と内容器の係合筒とを、または、外容器の底部上面と内容器の底部とを接着剤や、超音波溶着などで接着すれば、外容器と内容器とを一体化できる。
【００３０】
また、外容器と内容器が合成樹脂を素材として成形されているので、ゴミとして分別して廃棄しなくてもよい。
【００３１】
各実施例とも、外容器を透明の合成樹脂で製造し、内容器を不透明の合成樹脂で製造して、内容器の胴部外周に加飾を加えることで、外容器と内容器とを一体化したときに、外容器の外側から内容器の加飾を見ることができる複合容器を製造することができる。
また、詰め替え容器として、内容器の胴部に商品表示などの表示部を設けることにより、外部から内容器内の内容物を視認することができる。
さらに、外容器と内容器の間にノベルティーや、プレミアムのシールなどを封入することにより、さらなる販売促進を期待できる。
【産業上の利用可能性】
【００３２】
外容器に、肩カバーを一体成形した内容器を挿入し、外容器の取付筒に肩カバーの係合筒を取着することによって、外容器内に内容器を収納し、装着することができた。
そして、肩カバーをなくし、二つのパーツから構成するようにしたから、生産コストを抑えることができ、また、いろいろの形状の容器に対応でき、適用範囲が広がった。
【００３３】
本発明の複合容器は、化粧品、薬品、食品、日用品、その他の容器として広く利用することができる。
【図面の簡単な説明】
【００３４】
【図１】本発明の第１実施例の複合容器の断面立面図である。
【図２】第２実施例の複合容器の断面立面図である。
【符号の説明】
【００３５】
Ａ、Ａａ  外容器
Ｂ、Ｂａ  内容器
Ｃ        キャップ
Ｄ        しごき中栓
１        胴周壁
２        底部
３        段部
４、４ａ  取付筒
５        係合突条
１０、１０ａ  口筒部
１１、１１ａ  肩カバー
１２、１２ａ  肩部
１３、１３ａ  胴部
１４、１４ａ  底部
１５、１５ａ、２１  ねじ
１６、１６ａ、３０  フランジ
１７、１７ａ  係合筒
１８、１８ａ  係合凹部
２０      頂壁
２２      側周壁
３１      筒体
３２      ワイパー部
３３      係止部
【図１】
2006182442.tif 000003
【図２】
2006182442.tif 000004